(57)【要約】【課題】色物、白い物、小物など多種類の洗濯物を入れるのに１枚ですむように、又、洗濯終了後、そのまま物干し場まで持っていけるように、一度に全部入る区分けの付いた、洗濯ネットを提供する。【解決手段】洗濯槽の大きさの網袋（１）の中にその網袋（１）を縦に分割した形状の仕切り（２）を設け、その仕切り（２）の辺Ａ（３），辺Ｂ（４）、辺Ｃ（５）をそれぞれ網袋（１）の内側に接続し、仕切り（２）の上部は２枚の蓋（６）の合わせ目（７）に接続させ、網袋（１）の一部を二重にしたことを特徴とする。【選択図】  図１
2004275660.tif 000002
【特許請求の範囲】
【請求項１】
網袋（１）の中に、その網袋（１）を縦に分割した形状の仕切り（２）を設け、その仕切り（２）の辺Ａ（３）、辺Ｂ（４）、辺Ｃ（５）をそれぞれ網袋（１）の内側に接続し、仕切り（２）の上部は２枚の蓋（６）の合わせ目（７）に接続させて、網袋（１）の一部を二重にした、一度に全部入る洗濯ネット。
【発明の詳細な説明】
【０００１】
【発明の属する技術分野】
この発明は、様々な洗濯物が一度に全部区分けして入れられるように考えられた洗濯ネットに関するものである。
【０００２】
【従来の技術】
従来、洗濯のときに糸くずなどが付着するのを防ぐための、袋状の洗濯ネットがあり、洗濯が終わるとカゴなどに移し替えて、物干し場まで持っていっていた。
また、特開２００１−４６７８３号公報に示される、洗濯ネットが公知されている。これは、１つの洗濯ネットの中に洗濯小物を小分けできるように、仕切りを設けた洗濯ネットに関するものである。
【０００３】
【発明が解決しようとする課題】
上記の公知例においては、次のような欠点があった。
（イ）洗濯物はネットの中でたたまれたまま洗われるので、洗濯物が自由に動かず汚れ落ちがよくなかった。
（ロ）トレーナー、ズボンなどをたたまずにネットに入れると洗濯が終わったあと、しわになっていた。
（ハ）ネットに入らない大物のシーツ、ジーパンなどに粉石けんの溶け残りが付着することがあった。
（ニ）洗濯が終わると、洗濯機の中に何回か、かがんで手を入れて、洗濯物を取り出していた。
（ホ）洗濯が終わったあとの、空になったネットをしまう場所が必要だった。
（ヘ）そのまま乾燥機にかける場合、ズボンやトレーナーなどは一度ネットから外し、再び洗濯機に入れていた。
（ト）特開２００１−４６７８３広報の場合、区切りに一つ一つ洗濯物を納めると、特に丸型の場合、ファスナーがしめづらいことが懸念される。
本発明は以上の欠点を解決するためになされたものである。
【０００４】
【課題を解決するための手段】
網袋（１）の中に、その網袋（１）を縦半分に分割した形状の仕切り（２）を設け、網袋（１）の縦半分を二重にする。仕切り（２）の辺Ａ（３）、辺Ｂ（４）はそれぞれ網袋（１）の内側の側面の中央に、辺Ｃ（５）は網袋（１）の内側の底の中央に接続する。仕切り（２）の上部は２枚の蓋（６）の合わせ目（７）にタック（８）をとって接続する。蓋（６）と網袋（１）はファスナー（９）などで接続する。
本発明は、以上の構成よりなる、一度に全部入る区分けの付いた、あらかじめ洗濯機にセットして使う洗濯ネットである。
【０００５】
【発明の実施の形態】
図１から図６において、図面に示す実施例にしたがって説明する。
図１は、本発明の全体図である。
図２は、本体の網袋（１）に入れる、二重になる部分の仕切り（２）である。
図３は、本体の左半分の網袋を切断し、仕切り（２）が接続しているのを見せた図である。
図４は、網袋（１）を洗濯機にセットして、洗濯物を入れている図である。
図５は、洗濯物を入れ終わり、掛けひもＢ（１１）をはずしファスナー（９）をしめた図である。
図６は、掛けひもＡ（１０）を物干し場のＳ字型フックに掛け、洗濯物を干す様子の図である。
以下、本発明の実施の形態について説明する。
（イ）細かい網目からなる、洗濯機の洗濯槽の大きさの円柱状の網袋（１）の中に、その網袋（１）を縦半分に分割した仕切り（２）を入れる。
（ロ）仕切り（２）の辺Ａ（３）、辺Ｂ（４）はそれぞれ網袋（１）の内側の側面の中央に、辺Ｃ（５）は、網袋（１）の内側の底の中央に接続する。その結果、網袋（１）の中の半分が二重になる。
（ハ）仕切り（２）の上部は半円を２枚つなげた蓋（６）の合わせ目（７）にタック（８）をとって接続する。この結果、網袋（１）の中の仕切り（２）は右にも左にも片寄るようになる。
（ニ）２枚の蓋（６）と網袋（１）はファスナー（９）で接続する。
（ホ）丈夫な綿テープでできた掛けひもＡ（１０）、ゴムひもでできた掛けひもＢ（１１）、ファスナーのついたポケット（１２）を網袋（１）に接続する。
本発明は以上のような構造で、これを使用するときは、あらかじめ洗濯機の中に網袋（１）をすっぽり入れる。洗濯機の外側に付けた磁石付きフックにゴムの掛けひもＢ（１１）を掛ける。洗濯物を入れるときに色物と白い物を上部の蓋（６）より、それぞれに分けて入れる。仕切り（２）は右にも左にも移動するので、色物と白い物の洗濯物の量が、どのような割合になっても問題はない。小物はポケット（１２）に入れる。ゴムの掛けひもＢ（１１）をはずし、ファスナー（９）を閉じ洗濯する。この結果、色物の洗濯物に白い物の糸くずが付くことはない。洗濯終了後、掛けひもＡ（１０）を手に持ちひきあげる。物干し場に取り付けたＳ字型フックに、掛けひもＡ（１０）を掛け、ファスナー（９）を開け、洗濯物を取り出し干す。
応用例として、洗濯ネットの仕切り（２）を境にして右と左を違う色のネットする。又は、蓋（６）やファスナー（９）を右と左で違う色にする。この結果、色物と白い物を区分けしながら洗濯機に入れるとき、小さな子供でも間違わずに入れることができる。
【０００６】
【発明の効果】
（イ）洗濯物がネットの中で自由に動くので汚れ落ちがよく、たたみジワがなくなる。
（ロ）あらかじめ、洗濯機に洗濯ネットをセットしておくので、洗濯物を洗濯機に入れるのと同時に色物、白い物、小物のの仕分けができる。
（ハ）洗濯物を入れるネットは本発明のネット１つで足りる。
（ニ）洗濯ネット内の区切りが、ファスナーで完全に閉じられているので、色物に白い物の糸くずが付着することはない。
（ホ）洗濯物が全部ネットに入っているので、粉石けんの溶け残りが洗濯物に付着しない。
（ヘ）洗濯が終わると一度に取り出して物干し場に持っていくことができるので、洗濯カゴに移し替えなくてもよい。
（ト）洗濯ネットの形に余裕があるので、絡みを防ぐ洗濯ボールを入れることができる。
（チ）洗濯終了後、乾燥機にかける場合、小物やタオルなど、先に乾燥したものから取り出していくと省エネにもなるし、布傷みも防げる。その際、区分けは、もうすでにされているので簡単に取り出せる。
【図面の簡単な説明】
【図１】本発明の斜視図
【図２】本発明の斜視図
【図３】本発明の切断図
【図４】本発明の使用状態を示す斜視図
【図５】本発明の使用状態を示す斜視図
【図６】本発明の使用状態を示す斜視図
【符号の説明】
１  網袋
２  仕切り
３  辺Ａ
４  辺Ｂ
５  辺Ｃ
６  蓋
７  合わせ目
８  タック
９  ファスナー
１０  掛けひもＡ
１１  掛けひもＢ
１２  ポケット
【図１】
2004275660.tif 000003
【図２】
2004275660.tif 000004
【図３】
2004275660.tif 000005
【図４】
2004275660.tif 000006
【図５】
2004275660.tif 000007
【図６】
2004275660.tif 000008